(57)【要約】      （修正有）【課題】コンクリート構造物等から切断した大重量のコンクリートブロックを安全かつ迅速に降下させることができるスライドダウン装置を提供する。【解決出断】基部に車輪２２を有する４本の伸縮自在な柱２と、これらの４本の柱に沿って上下動可能なステージ１からなり、このステージ１の四隅には柱２を収容してステージ１の上下動を案内するガイド穴１０が設けてある。柱２の先端と基部には柱２を固定するためのアンカープレート２５、２６が固定してあり、ステージ１と柱先端のアンカープレート２６にはチェーンブロックを固定する固定具１３、２８が形成してあるスライドダウン装置であり、アンカープレート２５、２６によって柱２を固定し、柱２に沿ってステージ１をチェーンブロックで降下させる。【選択図】図１
0003178279.tif 000002
【実用新案登録請求の範囲】
【請求項１】
基部に車輪を有する伸縮自在な柱と、これらの柱に沿って上下動可能なステージからなり、このステージの四隅には柱を収容してステージの上下動を案内するガイド穴が設けてあり、柱の先端の伸縮部と基部には柱を固定するためのアンカープレートが固定してあり、ステージと柱先端のアンカープレートにはチェーンブロックを固定する固定具が形成してあるスライドダウン装置。
【請求項２】
請求項１において、上部アンカープレートが柱に対して傾斜可能に取り付けてあるスライドダウン装置。
【請求項３】
請求項１において、ステージのガイド穴には柱をガイドするスリーブが設けてあるスライドダウン装置。
【考案の詳細な説明】
【技術分野】
【０００１】
本考案は、地下鉄トンネルの壁や柱、橋台、擁壁、コンクリートダム等のコンクリート構造物から切断したコンクリートブロックを安全な作業面まで降下させるスライドダウン工法用のスライドダウン装置に関する。
【背景技術】
【０００２】
従来、鉄筋コンクリート構造物を切断して構造物から分離させたコンクリートブロックは、例えば、チェーンブロックで引き出したり、横移動させてコンクリートブロックを基礎面や床面等の作業面まで降下させていたが、安全性に欠け、コンクリートブロックの落下によって作業員が怪我をするなどの重大事故が多く、切断したコンクリートブロックを安全に降下させる手段が望まれていた。
【先行技術文献】
【特許文献】
【０００３】
【特許文献１】特開２０１１−１０５４７４号公報
【特許文献２】特開平９−４２３９号公報
【考案の概要】
【考案が解決しようとする課題】
【０００４】
本考案は、大きな重量を有するコンクリートブロックを安全かつ迅速に降下させることができるようにするものである。
【課題を解決するための手段】
【０００５】
本考案は、基部に車輪を有する四角形に配置した伸縮自在な柱と、これらの柱に沿って上下動可能なステージからなり、このステージの四隅には柱を収容してステージの上下動を案内するガイド穴が設けてあり、柱の先端と基部には柱を固定するためのアンカープレートが設けてあり、ステージと柱先端のアンカープレートにはチェーンブロックを固定する固定具が形成してあるスライドダウン装置である。
【考案の効果】
【０００６】
本考案によれば、柱とステージを分離して作業現場に搬入し、組立設置して作業をおこなうので、狭隘な作業現場にも搬入して組立ることができる。また、ステージに切断したコンクリートブロックを載せてチェーンブロックの操作によって安全にかつ迅速に降下させることができるので作業効率を格段に向上させることができる。
柱を床と天井にアンカーで固定させて作業をおこなうので、コンクリートブロックの降下作業中に柱が転倒することがなく、安全である。
更に、柱の基部に車輪が設けてあることから、組立てた本考案のスライドダウン装置を移動させることが容易であるので、作業効率を向上させることができる。
【図面の簡単な説明】
【０００７】
【図１】本考案のスライドダウン装置の正面図。
【図２】本考案のスライドダウン装置の側面図。
【図３】本考案のスライドダウン装置のステージの平面図。
【図４】ステージを降下させた状態のスライドダウン装置の側面図。
【考案を実施するための形態】
【０００８】
本考案を図面に示す実施例に基づいて説明する。
図１に示すようにスライドダウン装置は、切断したコンクリートブロックＢを載せるステージ１とこのステージ１を安全に降下させるガイドとなる四角形に配置した４本の柱２とからなるものである。
ステージ１は、重量物のコンクリートブロックＢを載せて降下させるものであり、重量に耐える断面を有する四角形であり、四隅には柱２を収容することができるガイド穴１０が形成してあり、更に、安定的にステージ１を柱２に沿ってスライドしながら降下させることができるように、ガイド穴１０と同じ径のスリーブ１２がステージ１の上方に突出させてあり、ステージ１の四隅の側面には、チェーンブロック３のチェーン３１を連結するための固定具１３が設けてある。
【０００９】
柱２の基部にはアンカープレート２５が設けてあり、アンカーボルトで床面に柱２を固定できるようにしてあり、柱２が受ける荷重を床等に分散させて伝達させると共に、柱２の転倒を防止している。柱２の基部には移動用の車輪２２が設けてあり、ステージ１と柱２を組立てた状態で移動できるようにしてある。車輪２２は、柱２の内部に固定した軸２３に回転可能に取り付けてあり、柱２の内部または柱２の両側に取り付ける。また、車輪２２をキャスターとして任意の方向に移動することができるようにしてもよい。
【００１０】
柱２は、コンクリート構造物の床と天井の間の高さが変動するものであるので、これに対応できるように伸縮自在としてあり、柱２の頭部に伸縮部材２１が適宜の伸縮機構、例えば、ネジなどの機械式や、油圧を利用して伸縮できるようにしてある。
柱の先端の伸縮部材２１の先端には上部アンカープレート２６が設けてあり、基部アンカープレート２５と同様に、天井にアンカーボルト等で固定できるようにしてある。上部アンカープレート２６は伸縮部材２１に対して角度が変更となるようにヒンジやピボットで連結させてもよく、傾斜した天井であっても柱２を固定できるようにしてある。
【００１１】
このアンカープレート２６には、チェーンブロック３を連結するための上部固定具２８が設けてあり、この上部固定具２８にチェーンブロック３を連結して吊り下げ、チェーンブロック３のチェーン３１をステージ１の固定具１３に連結し、チェーンブロック３を操作してステージ１を柱２に沿って上下動させる。
【００１２】
次に、本装置の組立及び使用手順について説明する。
ステージ１と柱２を現場に搬入してステージ１の四隅のガイド穴１０に柱２をそれぞれ建込み、柱２の伸縮部材２１を天井に接するまで延ばして当てる。
基部と天井のアンカープレート２５、２６をそれぞれアンカーボルトで床と天井に固定して柱２を固定する。
【００１３】
上部の各アンカープレート２６の上部固定具２８にチェーンブロック３を吊り下げ、チェーン３１の一端をステージ１の固定具１３に連結し、全てのチェーンブロック３を使用してステージ１が柱２に沿って水平状態で上下動することを確認する。
コンクリート構造物を切断したコンクリートブロックＢを床面に降下させるため、チェーンブロック３を操作してステージ１を上昇させて待機させる。切断したコンクリートブロックＢをステージ１に載せ、チェーンブロック３を操作してゆっくりと床面まで降下させる。
【００１４】
ステージ１が床面に達したところで、台車をステージに横付けし、ステージ１上のコンクリートブロックＢを横移動させて台車に載せ、運び出す。
以上のように、本考案のスライドダウン装置を使用することによってコンクリートブロックＢを安全に降下させることができる。また、車輪２２が付設してあるので、スライドダウン装置を他の場所に移動させるのが容易である。
【符号の説明】
【００１５】
１    ステージ
１０  ガイド穴
１２  スリーブ
２    柱
３    チェーンブロック
【図１】
0003178279.tif 000003
【図２】
0003178279.tif 000004
【図３】
0003178279.tif 000005
【図４】
0003178279.tif 000006